(57)【要約】【課題】制御ユニットと温水貯蔵手段の距離が近く隣接しているような場合にも外部ノイズを合理的に逃がし制御ユニットのマイコンなどに影響がでないようにすることを目的とする。【解決手段】制御ユニット１と、マイコン２と、温水加熱手段３と、温水加熱手段外郭４と、温水貯蔵手段５と、第一の接続手段７と、着脱自在なシールド手段８と、第二の接続手段９を備え、電源供給手段６から浸入した外部ノイズを、制御ユニット１からシールド手段８、温水貯蔵手段５内部の温水、温水加熱手段外郭４の経路で逃がすことで、マイコン２周辺を外部ノイズが通らないようになり、また制御ユニット１の生産時にはフローはんだの工程の妨げとなるシールド手段８を接続しない状態で作業できる。したがって、外部ノイズの影響を受けにくく、かつ生産性のよい温水装置となる。【選択図】図１
2006336990.tif 000002
【特許請求の範囲】
【請求項１】
マイコンが実装された制御ユニットと、前記制御ユニットで制御される温水加熱手段と、前記温水加熱手段の外部を電気的絶縁状態のもと覆うとともに、アースされた温水加熱手段外郭と、これら温水加熱手段及び温水加熱手段外郭を内蔵し、前記温水加熱手段で加熱された温水を貯蔵する温水貯蔵手段と、前記制御ユニット及び前記温水加熱手段に電源を供給する電源供給手段と、前記制御ユニット上の電源ラインと接続された第一の接続手段と、前記制御ユニットと前記温水貯蔵手段との間に着脱自在に位置させたシールド手段と、前記シールド手段上に設けられ、かつ前記第一の接続手段と接続する第二の接続手段とを備えた温水装置。
【請求項２】
制御ユニットに実装され、かつこの制御ユニット上の電源ラインに接続してコンデンサを設けた請求項１記載の温水装置。
【請求項３】
制御ユニットの外部に取付けられ、かつこの制御ユニット上の電源ラインに接続してコンデンサを設けた請求項１記載の温水装置。
【請求項４】
マイコンが実装された制御ユニットと、前記制御ユニットで制御される温水加熱手段と、前記温水加熱手段の外部を電気的絶縁状態のもと覆うとともに、アースされた温水加熱手段外郭と、これら温水加熱手段及び温水加熱手段外郭を内蔵し、前記温水加熱手段で加熱された温水を貯蔵する温水貯蔵手段と、前記制御ユニット及び前記温水加熱手段に電源を供給する電源供給手段と、前記制御ユニット上に設けられるとともに、この制御ユニット上の電源ラインと接続された第一の接続手段と、前記制御ユニットと前記温水貯蔵手段との間に着脱自在に位置させたシールド手段と、前記シールド手段と接続され、かつ前記第一の接続手段と接続する第二の接続手段とを備えた温水装置。
【請求項５】
制御ユニットに実装され、かつこの制御ユニット上の電源ラインに接続してコンデンサを設けた請求項４記載の温水装置。
【請求項６】
第二の接続手段をコンデンサを介してシールド手段に接続した請求項４記載の温水装置。
【請求項７】
マイコンが実装された制御ユニットと、前記制御ユニットで制御される温水加熱手段と、前記温水加熱手段の外部を電気的絶縁状態のもと覆うとともに、アースされた温水加熱手段外郭と、これら温水加熱手段及び温水加熱手段外郭を内蔵し、前記温水加熱手段で加熱された温水を貯蔵する温水貯蔵手段と、前記制御ユニット及び前記温水加熱手段に電源を供給する電源供給手段と、制御ユニット上に設けられ、かつこの制御ユニット上の電源ラインと接続された第一の接続手段と、前記制御ユニットと前記温水貯蔵手段との間に着脱自在に位置させたシールド手段と、前記シールド手段に接続され、かつ前記第一の接続手段と接続する第二の接続手段とを備えた温水装置。
【請求項８】
第一の接続手段と接続されたコンデンサを制御ユニットに実装した請求項７記載の温水装置。
【発明の詳細な説明】
【技術分野】
【０００１】
本発明はトイレ用衛生洗浄器などに搭載される温水装置に関するものである。
【背景技術】
【０００２】
従来、この種のトイレ用衛生洗浄器などに搭載される温水装置は、制御ユニットと、温水加熱手段と、温水貯蔵手段を有し、制御ユニットで制御された温水加熱手段で加熱された温水を温水貯蔵手段に一定量貯蔵して洗浄などに使用している。
【０００３】
図９は従来の温水装置を示すもので、制御ユニット５１と、マイコン５２と、温水加熱手段５３と、温水加熱手段外郭５４と、温水貯蔵手段５５と、電源供給手段５６から構成されている（例えば、特許文献１参照）。
【特許文献１】特開２００２−３７２３０６号公報
【発明の開示】
【発明が解決しようとする課題】
【０００４】
しかしながら、前記従来の構成にあって、制御ユニット５１と温水貯蔵手段５５の距離が近く隣接しているような場合には、温水貯蔵手段５５内の温水が温水加熱手段外郭５４を介してアース電位となっていることにより、電源供給手段より制御ユニット５１内に浸入した外部ノイズが、この制御ユニット５１に実装したマイコン５２の周辺から温水貯蔵手段５５内の温水及び温水加熱手段外郭５４を介して逃げる経路ができてしまう。そのため、外部ノイズの影響を受けやすいというという課題を有していた。
【０００５】
本発明は前記従来の課題を解決するもので、制御ユニットと温水貯蔵手段の位置関係にかかわらず、外部ノイズの影響を受けにくく、かつ制御ユニットの生産性もよい温水装置を提供することを目的とする。
【課題を解決するための手段】
【０００６】
前記従来の課題を解決するために、本発明の温水装置は、制御ユニットと温水貯蔵手段との間にシールド手段を着脱自在に設けたものである。
【０００７】
電源供給手段から浸入した外部ノイズをシールド手段を介して逃がすことにより、マイコン周辺を外部ノイズが通らないようにできる。また制御ユニットの生産時にはフローはんだ等の工程の妨げとなるシールド手段を接続しない状態で生産できるので、制御ユニットと温水貯蔵手段の位置関係にかかわらず、外部ノイズの影響を受けにくく、かつ制御ユニットの生産性もよくすることが可能となる。
【発明の効果】
【０００８】
本発明の温水装置は、制御ユニットと温水貯蔵手段との間に着脱可能なシールド手段を設けることにより、電源供給手段から浸入した外部ノイズを、シールド手段を介して逃がし、マイコン周辺を外部ノイズが通らないようにすることと、制御ユニットの生産時にはフローはんだ等の工程の妨げとなるシールド手段を接続しない状態で生産することで、制御ユニットと温水貯蔵手段の位置関係にかかわらず、外部ノイズの影響を受けにくく、かつ制御ユニットの生産性もよくすることができる。
【発明を実施するための最良の形態】
【０００９】
第１の発明は、マイコンが実装された制御ユニットと、前記制御ユニットで制御される温水加熱手段と、前記温水加熱手段の外部を電気的絶縁状態のもと覆うとともに、アースされた温水加熱手段外郭と、これら温水加熱手段及び温水加熱手段外郭を内蔵し、前記温水加熱手段で加熱された温水を貯蔵する温水貯蔵手段と、前記制御ユニット及び前記温水加熱手段に電源を供給する電源供給手段と、前記制御ユニット上の電源ラインと接続された第一の接続手段と、前記制御ユニットと前記温水貯蔵手段との間に着脱自在に位置させたシールド手段と、前記シールド手段上に設けられ、かつ前記第一の接続手段と接続する第二の接続手段とを備えたものである。
【００１０】
したがって、電源供給手段から浸入した外部ノイズを制御ユニット上の電源ラインから前記シールド手段を介して逃がし、マイコン周辺を外部ノイズが通らないようにすることができるとともに、制御ユニットの生産時にはフローはんだ等の工程の妨げとなるシールド手段を接続しない状態で生産することが可能になる。
【００１１】
第２の発明は、特に、前記第１の発明において、制御ユニットに実装され、かつこの制御ユニット上の電源ラインに接続してコンデンサを設け、電源供給手段から浸入した外部ノイズを制御ユニット上の電源ラインからコンデンサ及びシールド手段を介して逃がすようにした。したがって、メンテナンスなどの時に作業者が前記シールド手段に触れてもより感電しにくいようにした。
【００１２】
第３の発明は、特に、前記第１の発明において、制御ユニットの外部に取付けられ、かつこの制御ユニット上の電源ラインに接続してコンデンサを設けて、やはり、メンテナンスなどの時に作業者が前記シールド手段に触れてもより感電しにくいようにした。
【００１３】
第４の発明は、マイコンが実装された制御ユニットと、前記制御ユニットで制御される温水加熱手段と、前記温水加熱手段の外部を電気的絶縁状態のもと覆うとともに、アースされた温水加熱手段外郭と、これら温水加熱手段及び温水加熱手段外郭を内蔵し、前記温水加熱手段で加熱された温水を貯蔵する温水貯蔵手段と、前記制御ユニット及び前記温水加熱手段に電源を供給する電源供給手段と、前記制御ユニット上に設けられるとともに、この制御ユニット上の電源ラインと接続された第一の接続手段と、前記制御ユニットと前記温水貯蔵手段との間に着脱自在に位置させたシールド手段と、前記シールド手段と接続され、かつ前記第一の接続手段と接続する第二の接続手段とを備えたものである。
【００１４】
以上から、電源供給手段から浸入した外部ノイズを制御ユニット上の電源ラインからシールド手段を介して逃がすことで、マイコン周辺を外部ノイズが通らないようにすることができ、また制御ユニットの生産時にはフローはんだ等の工程の妨げとなる前記シールド手段を接続しない状態で生産することが可能となる。
【００１５】
第５の発明は、特に、前記第４の発明において、制御ユニットに実装され、かつこの制御ユニット上の電源ラインに接続してコンデンサを設け、電源供給手段から浸入した外部ノイズを制御ユニット上の電源ラインからコンデンサ及びシールド手段を介して逃がすようにした。したがって、メンテナンスなどの時に作業者が前記シールド手段に触れてもより感電しにくいようにした。
【００１６】
第６の発明は、特に、前記第４の発明において、制御ユニットの外部に取付けられ、かつこの制御ユニット上の電源ラインに接続してコンデンサを設けて、やはり、メンテナンスなどの時に作業者が前記シールド手段に触れてもより感電しにくいようにした。
【００１７】
第７の発明は、マイコンが実装された制御ユニットと、前記制御ユニットで制御される温水加熱手段と、前記温水加熱手段の外部を電気的絶縁状態のもと覆うとともに、アースされた温水加熱手段外郭と、これら温水加熱手段及び温水加熱手段外郭を内蔵し、前記温水加熱手段で加熱された温水を貯蔵する温水貯蔵手段と、前記制御ユニット及び前記温水加熱手段に電源を供給する電源供給手段と、制御ユニット上に設けられ、かつこの制御ユニット上の電源ラインと接続された第一の接続手段と、前記制御ユニットと前記温水貯蔵手段との間に着脱自在に位置させたシールド手段と、前記シールド手段に接続され、かつ前記第一の接続手段と接続する第二の接続手段とを備えた。
【００１８】
その結果、電源供給手段から浸入した外部ノイズを制御ユニット上の電源ラインからシールド手段を介して逃がすことで、マイコン周辺を外部ノイズが通らないようにすることができ、また制御ユニットの生産時にはフローはんだ等の工程の妨げとなる前記シールド手段を接続しない状態で生産することが可能となる。
【００１９】
第８の発明は、特に、前記第７の発明において、第一の接続手段と接続されたコンデンサを制御ユニットに実装して、電源供給手段から浸入した外部ノイズを制御ユニット上の電源ラインからコンデンサ及びシールド手段を介して逃がすようにした。したがって、メンテナンスなどの時に作業者が前記シールド手段に触れてもより感電しにくいようにした。
【００２０】
以下本発明の実施の形態について、図面を参照しながら説明する。なお、本実施の形態によって本発明が限定されるものではない。
【００２１】
（実施の形態１）
図１において、１は制御ユニット、２はこの制御ユニット１に実装されたマイコン、３は前記制御ユニット１からの制御で水を加熱して温水にする温水加熱手段、４は温水加熱手段３の外部を覆い、かつ温水加熱手段３と電気的に絶縁され、アースされている温水加熱手段外郭、５は温水加熱手段３及び温水加熱手段外郭４を内蔵し、温水加熱手段３で加熱された温水を貯蔵する温水貯蔵手段で、この温水は、例えば、トイレ用便座の洗浄手段へ供給される。
【００２２】
６は制御ユニット１及び温水加熱手段３に電源を供給する電源供給手段、７は制御ユニット１上の電源ラインと接続された第一の接続手段、８は制御ユニット１と温水貯蔵手段５との間に位置する着脱自在なシールド手段、９はシールド手段８上に設けられ、かつ第一の接続手段７と接続する第二の接続手段である。
【００２３】
以上のように構成された温水装置について以下その動作、作用を説明する。
【００２４】
まず、電源供給手段６から浸入した外部ノイズは制御ユニット１上の電源ラインを通ってシールド手段８に到達する。そして外部ノイズはシールド手段８から温水貯蔵手段５に貯蔵された温水を介して温水加熱手段外郭４に到達しアースへ逃げる。
【００２５】
このようにマイコン２周辺よりも電源側に別の経路を設けることで、マイコン２周辺を外部ノイズが通らないようにすることができる。また制御ユニット１の生産時には第一の接続手段７のみを実装し、制御ユニット１の生産後に第二の接続手段９によってシールド手段８を接続することで、フローはんだ等の工程の妨げとなるシールド手段８を接続しない状態で制御ユニット１を生産することができる。
【００２６】
図２は、図１の構成にコンデンサ１０を追加したものである。すなわち、制御ユニット１上の電源ラインと接続して、この制御ユニット１にコンデンサ１０を実装したものである。
【００２７】
この場合は、電源供給手段６から浸入した外部ノイズが制御ユニット１上の電源ラインを通ってコンデンサ１０を介してシールド手段８に到達し、その後、温水貯蔵手段５に貯蔵された温水、温水加熱手段外郭４を介してアースへ逃げる。
【００２８】
このように電源供給手段６とシールド手段８の間にコンデンサ１０を設けることで、電源供給手段６とシールド手段８が電気的に絶縁され、メンテナンスなどの時に作業者がシールド手段８に触れてもより感電しにくいようにすることができる。
【００２９】
コンデンサ１０は、図３のように、制御ユニット１上の電源ラインと接続され、かつ制御ユニット１の外部に取り付けることも考えられる。
【００３０】
（実施の形態２）
図４において、１は制御ユニット、２はこの制御ユニット１に実装されたマイコン、３は制御ユニット１からの制御で水を加熱して温水にする温水加熱手段、４は温水加熱手段３の外部を覆い、かつ温水加熱手段３と電気的に絶縁され、アースされている温水加熱手段外郭、５は温水加熱手段３及び温水加熱手段外郭４を内蔵し、温水加熱手段３で加熱された温水を貯蔵する温水貯蔵手段である。
【００３１】
そして、前記温水貯蔵手段５内の温水は、例えば、トイレ用便座の洗浄手段へ供給されるようにしてある。
【００３２】
６は制御ユニット１及び温水加熱手段３に電源を供給する電源供給手段、７は制御ユニット１上に設けられ、かつ制御ユニット１上の電源ラインと接続された第一の接続手段、８は制御ユニット１と温水貯蔵手段５との間に着脱自在に位置されたシールド手段、９はシールド手段８と接続され、かつ第一の接続手段７と接続する第二の接続手段である。
【００３３】
以上のように構成された温水装置について以下その動作、作用を説明する。
【００３４】
まず、電源供給手段６から浸入した外部ノイズは制御ユニット１上の電源ラインを通ってシールド手段８に到達する。そして外部ノイズはシールド手段８から温水貯蔵手段５に貯蔵された温水を介して温水加熱手段外郭４に到達しアースへ逃げる。
【００３５】
このようにマイコン２周辺よりも電源側に別の経路を設けることで、マイコン２周辺を外部ノイズが通らないようにすることができる。また制御ユニット１の生産時には第一の接続手段７のみを実装し、制御ユニット１の生産後に第二の接続手段９によってシールド手段８を接続することで、フローはんだ等の工程の妨げとなるシールド手段８を接続しない状態で制御ユニット１を生産することができる。
【００３６】
図５は、図４の構成にコンデンサ１０を追加したものである。すなわち、制御ユニット１上の電源ラインと接続して、この制御ユニット１にコンデンサ１０を実装したものである。
【００３７】
この場合は、電源供給手段６から浸入した外部ノイズが制御ユニット１上の電源ラインを通ってコンデンサ１０を介してシールド手段８に到達し、その後、温水貯蔵手段５に貯蔵された温水、温水加熱手段外郭４を介してアースへ逃げる。
【００３８】
このように電源供給手段６とシールド手段８の間にコンデンサ１０を設けることで、電源供給手段６とシールド手段８が電気的に絶縁され、メンテナンスなどの時に作業者がシールド手段８に触れてもより感電しにくいようにすることができる。
【００３９】
コンデンサ１０は、図６のように、シールド手段８と第二の接続手段９との接続中点に介在させることも考えられる。
【００４０】
（実施の形態３）
図７において、１は制御ユニット、２は制御ユニット１に実装されたマイコン、３は制御ユニット１からの制御で水を加熱して温水にする温水加熱手段、４は温水加熱手段３の外部を覆い、かつ温水加熱手段３と電気的に絶縁され、アースされている温水加熱手段外郭、５は温水加熱手段３及び温水加熱手段外郭４を内蔵し、温水加熱手段３で加熱された温水を貯蔵する温水貯蔵手段で、この貯蔵温水は、例えば、トイレ用便座の洗浄手段へ適宜供給される。
【００４１】
６は制御ユニット１及び温水加熱手段３に電源を供給する電源供給手段、７は制御ユニット１上の電源ラインと接続された第一の接続手段、８は制御ユニット１と温水貯蔵手段５との間に着脱自在に位置するシールド手段、９はシールド手段８と接続され、かつ第一の接続手段７と接続する第二の接続手段である。
【００４２】
以上のように構成された温水装置について以下その動作、作用を説明する。
【００４３】
まず、電源供給手段６から浸入した外部ノイズは制御ユニット１上の電源ラインを通ってシールド手段８に到達する。そして外部ノイズはシールド手段８から温水貯蔵手段５に貯蔵された温水を介して温水加熱手段外郭４に到達しアースへ逃げる。
【００４４】
このようにマイコン２周辺よりも電源側に別の経路を設けることで、マイコン２周辺を外部ノイズが通らないようにすることができる。また制御ユニット１の生産時には第一の接続手段７のみを実装し、制御ユニット１の生産後に第二の接続手段９によってシールド手段８を接続することで、フローはんだ等の工程の妨げとなるシールド手段８を接続しない状態で制御ユニット１を生産することができる。
【００４５】
図８は、図７の構成にコンデンサ１０を追加したものである。すなわち、制御ユニット１上の電源ラインと接続して、この制御ユニット１にコンデンサ１０を実装したものである。
【００４６】
この場合は、電源供給手段６から浸入した外部ノイズが制御ユニット１上の電源ラインを通ってコンデンサ１０を介してシールド手段８に到達し、その後、温水貯蔵手段５に貯蔵された温水、温水加熱手段外郭４を介してアースへ逃げる。
【００４７】
このように電源供給手段６とシールド手段８の間にコンデンサ１０を設けることで、電源供給手段６とシールド手段８が電気的に絶縁され、メンテナンスなどの時に作業者がシールド手段８に触れてもより感電しにくいようにすることができる。
【００４８】
コンデンサ１０は、第二の接続手段９とシールド手段８との接続中点に介在させることも考えられる。
【産業上の利用可能性】
【００４９】
以上のように、本発明にかかる温水装置は、電源供給手段から浸入した外部ノイズを、制御ユニットからシールド手段を介して逃がし、マイコン周辺を外部ノイズが通らないようにすることにより、外部ノイズに影響を受けにくくすることが可能となるので、外部ノイズの影響を受けやすい取り付け構成となっている制御ユニットを有する機器の信頼性の向上等の用途にも適用できる。
【図面の簡単な説明】
【００５０】
【図１】本発明の実施の形態１の温水装置の概略構成図
【図２】同実施の形態１にコンデンサを追加した場合の温水装置の概略構成図
【図３】同実施の形態１にコンデンサを追加した場合の温水装置の概略構成図
【図４】本発明の実施の形態２の温水装置の概略構成図
【図５】同実施の形態２にコンデンサを追加した場合の温水装置の概略構成図
【図６】同実施の形態２にコンデンサを追加した場合の温水装置の概略構成図
【図７】本発明の実施の形態３の温水装置の概略構成図
【図８】同実施の形態３にコンデンサを追加した場合の温水装置の概略構成図
【図９】従来の温水装置の概略構成図
【符号の説明】
【００５１】
１  制御ユニット
２  マイコン
３  温水加熱手段
４  温水加熱手段外郭
５  温水貯蔵手段
６  電源供給手段
７  第一の接続手段
８  シールド手段
９  第二の接続手段
１０  コンデンサ
【図１】
2006336990.tif 000003
【図２】
2006336990.tif 000004
【図３】
2006336990.tif 000005
【図４】
2006336990.tif 000006
【図５】
2006336990.tif 000007
【図６】
2006336990.tif 000008
【図７】
2006336990.tif 000009
【図８】
2006336990.tif 000010
【図９】
2006336990.tif 000011